(57)【要約】【課題】収納スペースのサイズをより自由に変更できる収納庫、並びに、当該収納庫を備えた洗面化粧台を提供する。【解決手段】洗面台の上部に設置される化粧台（収納庫）の化粧台本体（収納庫本体）１０は、その中央に収納スペースとして機能する凹部２５を有する。凹部２５内には奥壁から手前方向に伸びる棒状の支持部材１２ａ〜１２ｆが設けられている。支持部材１２ａ〜１２ｆの各側面には溝が設けられ、着脱可能な板状の仕切り板２７が当該溝を介して垂直方向に嵌め込まれている。仕切り板２７にも溝が設けられている。板状の中央棚部（棚板）３３およびサイド棚部（棚板）５３は、溝を介して水平方向に嵌め込まれている。仕切り板１２を自由に組み直すことにより、所望の幅方向のサイズを有する空間を形成させることができ、横長の物品を収納するのに好適である。【選択図】図７
2008200412.tif 000002
【特許請求の範囲】
【請求項１】
前面に開口する凹部が設けられた収納庫本体と、前記凹部の開口部分を開閉自在に覆う扉板とを有する収納庫であって、前記収納庫本体は前記凹部の奥壁から手前方向に伸びる棒状の支持部材を複数有し、前記支持部材には板状の部材の端部が係合可能な溝が設けられ、当該溝を介して相互の支持部材間に前記板状の部材を支持可能であることを特徴とする収納庫。
【請求項２】
前記凹部の内周壁には板状の部材の端部が係合可能な溝が設けられ、支持部材に設けられた溝と凹部の内周壁に設けられた溝とを介して内周壁と支持部材との間に前記板状の部材を支持可能であることを特徴とする請求項１に記載の収納庫。
【請求項３】
前記板状の部材は、垂直方向に設置される仕切り板であることを特徴とする請求項１又は２に記載の収納庫。
【請求項４】
前記板状の部材は、水平方向に設置される棚板であることを特徴とする請求項１又は２に記載の収納庫。
【請求項５】
前記仕切り板はその側面に板状の部材の端部が係合可能な溝が設けられたものであり、当該仕切り板に設けられた溝を介して相互の仕切り板間に板状の棚板を支持可能であることを特徴とする請求項３に記載の収納庫。
【請求項６】
前記仕切り板はその側面に板状の部材の端部が係合可能な溝が設けられたものであり、前記凹部の側壁には板状の部材の端部が係合可能な溝が設けられ、凹部の側壁に設けられた溝と仕切り板に設けられた溝とを介して側壁と仕切り板との間に板状の棚板を支持可能であることを特徴とする請求項３に記載の収納庫。
【請求項７】
前記支持部材は、凹部の奥壁と一体的に形成されていることを特徴とする請求項１〜６のいずれか１項に記載の収納庫。
【請求項８】
請求項１〜７のいずれか１項に記載の収納庫からなる化粧台が洗面台の上部に設置され、前記扉板の表面に鏡が設けられていることを特徴とする洗面化粧台。
【発明の詳細な説明】
【技術分野】
【０００１】
本発明は収納庫並びに洗面化粧台に関し、さらに詳細には、鏡の奥に設けられた収納スペースをより有効に使用できる収納庫、並びに、当該収納庫を化粧台として備える洗面化粧台に関する。
【背景技術】
【０００２】
従来より、棚板の位置を自在に変えることができる収納庫が広く普及しており、収納機能付きのミラーキャビネットを有する三面鏡タイプの洗面化粧台等に応用されている。当該収納庫の一般的な構造は、例えば特許文献１に開示されている。この構造を応用した一般的な三面鏡タイプの洗面化粧台では、三面鏡の裏側に収納スペースとなる凹部が設けられ、それぞれの鏡に対応する３つの空間に分割されている。各空間には着脱可能な棚板が備えられており、棚位置の高さを変更することができる。これにより、収納する物品の高さに応じて棚位置を自由に変えることができる。一方、幅方向に関しては鏡の幅に合わせた縦壁があり、幅方向のサイズを変更することはできない。したがって、横長の物品を収納したい場合には、立てて置く以外に対応する手段がない。
【特許文献１】特開２００２−１２５７７８号公報
【発明の開示】
【発明が解決しようとする課題】
【０００３】
しかし、鏡の裏側の収納スペースに横長の物品を収納したいという要望もあり、従来の洗面化粧台の収納構造の改良が望まれている。本発明の目的は、収納スペースのサイズをより自由に変更できる収納庫、並びに、当該収納庫を備えた洗面化粧台を提供することにある。
【課題を解決するための手段】
【０００４】
上記した課題を解決するための請求項１に記載の発明は、前面に開口する凹部が設けられた収納庫本体と、前記凹部の開口部分を開閉自在に覆う扉板とを有する収納庫であって、前記収納庫本体は前記凹部の奥壁から手前方向に伸びる棒状の支持部材を複数有し、前記支持部材には板状の部材の端部が係合可能な溝が設けられ、当該溝を介して相互の支持部材間に前記板状の部材を支持可能であることを特徴とする収納庫である。
【０００５】
本発明の収納庫は、収納スペースとして機能する凹部が収納庫本体に設けられており、扉板が当該凹部の開口部分を開閉自在に覆うものである。そして、本発明の収納庫では、収納庫本体が凹部の奥壁から手前方向に伸びる棒状の支持部材を複数有しており、当該支持部材には板状の部材の端部が係合可能な溝が設けられ、当該溝を介して相互の支持部材間に前記板状の部材を支持可能である。本発明の収納庫では、前記したような棒状の支持部材を採用しているので、従来技術のように、固定された縦壁を備える必要がない。すなわち、支持部材間に板状の部材を別途設けることにより、所望の位置に縦壁に相当する部材を設けることができる。本発明の収納庫によれば、収納スペースのサイズを高さ方向のみならず、幅方向にも変更することができる。
【０００６】
請求項２に記載の発明は、請求項１に記載の収納庫において、前記凹部の内周壁には板状の部材の端部が係合可能な溝が設けられ、支持部材に設けられた溝と凹部の内周壁に設けられた溝とを介して内周壁と支持部材との間に前記板状の部材を支持可能であることを特徴とする。
【０００７】
本発明の収納庫では、凹部の内周壁にも溝が設けられており、内周壁と支持部材との間に前記板状の部材を支持可能である。かかる構成により、より高い自由度をもって収納スペースのサイズを変更することができる。なお、内周壁は左側壁、右側壁、上壁、および下壁の４面からなる。
【０００８】
請求項３に記載の発明は、請求項１又は２に記載の収納庫において、前記板状の部材は、垂直方向に設置される仕切り板であることを特徴とする。
【０００９】
かかる構成により、幅方向のサイズをより高い自由度をもって変更することができる。
【００１０】
請求項４に記載の発明は、請求項１又は２に記載の収納庫において、前記板状の部材は、水平方向に設置される棚板であることを特徴とする。
【００１１】
かかる構成により、高さ方向のサイズもより高い自由度をもって変更することができる。
【００１２】
請求項５に記載の発明は、請求項３に記載の収納庫において、前記仕切り板はその側面に板状の部材の端部が係合可能な溝が設けられたものであり、当該仕切り板に設けられた溝を介して相互の仕切り板間に板状の棚板を支持可能であることを特徴とする。
【００１３】
本発明の収納庫では、仕切り板間にも板状の棚板を支持可能であるので、高さ方向のサイズをさらに高い自由度をもって変更することができる。
【００１４】
請求項６に記載の発明は、請求項３に記載の収納庫において、前記仕切り板はその側面に板状の部材の端部が係合可能な溝が設けられたものであり、前記凹部の側壁には板状の部材の端部が係合可能な溝が設けられ、凹部の側壁に設けられた溝と仕切り板に設けられた溝とを介して側壁と仕切り板との間に板状の棚板を支持可能であることを特徴とする。
【００１５】
本発明の収納庫では、側壁と仕切り板との間にも板状の棚板を支持可能であるので、高さ方向のサイズをさらに高い自由度をもって変更することができる。
【００１６】
請求項７に記載の発明は、請求項１〜６のいずれか１項に記載の収納庫において、前記支持部材は、凹部の奥壁と一体的に形成されていることを特徴とする。
【００１７】
かかる構成により、凹部の収納スペースをより有効に活用でき、強度的にも優れた収納庫が提供される。
【００１８】
請求項８に記載の発明は、請求項１〜７のいずれか１項に記載の収納庫からなる化粧台が洗面台の上部に設置され、前記扉板の表面に鏡が設けられていることを特徴とする洗面化粧台である。
【００１９】
本発明は洗面化粧台に係るものであり、上述した本発明の収納庫を化粧台として備えるものである。本発明の洗面化粧台によれば、鏡の裏（すなわち扉板の裏）の収納スペースをより有効に使うことができる。
【発明の効果】
【００２０】
本発明の収納庫によれば、収納スペースのサイズを高さ方向のみならず、幅方向にも変更することができ、収納スペースをより有効に使うことができる。
【００２１】
本発明の洗面化粧台についても同様であり、鏡の裏の収納スペースをより有効に使うことができる。
【発明を実施するための最良の形態】
【００２２】
以下、本発明の実施形態について、洗面化粧台を例として説明する。なお、以下の説明において、上下、左右、手前・奥は洗面化粧台の正面に立った使用者から見た方向を指すものとする。図１は、本発明の実施形態に係る洗面化粧台の外観を示す斜視図である。図２は、図１の洗面化粧台における化粧台本体を示す正面図である。図３は、凹部内における支持部材の設置状態を示す斜視図である。図４は、支持部材を示す斜視図である。図５は、仕切り板を示す斜視図である。図６は、中央棚部を示す斜視図である。図７は、仕切り板と棚部を取り付けた状態における化粧台本体を示す正面図である。図８は、仕切り板と棚部を取り付けた状態の他の例における化粧台本体を示す正面図である。
【００２３】
図１に示す洗面化粧台１は、洗面台２と化粧台（収納庫）３とからなる。洗面台２は、シンク５、カラン６、収納部７を備えた一般的なものである。
【００２４】
化粧台３は洗面台２の上に設置されている。化粧台３は、化粧台本体（収納庫本体）１０の前面に中央鏡１５および左右のサイド鏡１６，１７からなる三面鏡が設けられたものである。三面鏡の上部であって化粧台本体１０の前面には照明装置１８が設けられている。また、右サイド鏡１７の下方には、スイッチ類１９が設置されており、照明スイッチや後述する曇り止め用電熱線のスイッチ並びに電源コンセント等が配置されている。
【００２５】
図２に示す様に、化粧台本体１０には物品を収納できる凹部２５が設けられ、前面に向かって開口している。従来技術の洗面化粧台では、凹部２５が中央鏡１５と左右のサイド鏡１６，１７の幅に合わせた３つの空間に分けられたものが多いが、本実施形態では凹部２５は基本的に１つの空間からなる。そして、中央鏡１５と左右のサイド鏡１６，１７とをもって、凹部２５の開口２２が覆われている。より具体的には、中央鏡１５は扉板２１の表面に装着されており、扉板２１が開閉自在に凹部２５の開口２２の中央部分を覆っている。左右のサイド鏡１６，１７についても左右の扉板（図示せず）に装着されており、凹部２５の開口２２の左右部分を覆っている。
【００２６】
図２，３に示す様に、本実施形態の洗面化粧台１では、凹部２５内に６本の棒状の支持部材１２ａ〜１２ｆが設けられている。支持部材１２ａ〜１２ｆは凹部２５の奥壁２３と一体的に形成されており、奥から手前に向かって（開口２２に向かって）に伸びている。
【００２７】
互いに水平方向に位置する１組の支持部材１２同士（支持部材１２ａと１２ｂ、１２ｃと１２ｄ、並びに、１２ｅと１２ｆ）の距離は、凹部２５の側壁から各支持部材１２までの水平方向の距離（左側壁から支持部材１２ａ，１２ｃ，１２ｅまでの距離、並びに、右側壁から支持部材１２ｂ，１２ｄ，１２ｆまでの距離）よりも大きい。これは、互い水平方向に位置する１組の支持部材１２同士の距離が中央鏡１５の幅に対応し、凹部２５の側壁から各支持部材１２までの水平方向の距離が左右のサイド鏡１６，１７の幅にそれぞれ対応するためである。
【００２８】
図３，４に示す様に、支持部材１２は棒状の部材であり、より具体的には四角柱状の部材である。支持部材１２の各側面には溝１３が設けられている。溝１３は四角状に削られた形状を有しており、支持部材１２の一端から他端にかけて連続的に形成されている。１本の支持部材１２には計４個の溝１３が設けられている。
【００２９】
図２に示す様に、凹部２５の内周壁にも溝２４，４３が設けられている。溝２４は凹部２５の左右の側壁に７個ずつ、計１４個設けられている。溝２４は、支持部材１２の溝１３と同じ形状とサイズを有するものであり、溝１３と同じ高さの位置ならびにそれらの中間位置に設けられている。一方、溝４３は凹部２５の上壁と下壁に２個ずつ、計４個設けられている。溝４３も溝１３と同じ形状とサイズを有するものであり、溝１３と同じ幅方向の位置に設けられている。
【００３０】
凹部２５内には、仕切り板２７（図５）、中央棚部（棚板）３３（図６）、及びサイド棚部（棚板）５３が設置される。仕切り板２７は、互いに垂直方向に位置する１組の支持部材１２同士（支持部材１２ａと１２ｃ、１２ｃと１２ｅ、１２ｂと１２ｄ、並びに、１２ｄと１２ｆ）あるいは支持部材１２と上下壁との間（上壁と支持部材１２ａ，１２ｂとの間、並びに、下壁と支持部材１２ｅ，１２ｆとの間）に設置されるものである。仕切り板２７は、図５に示す様な形状を有する板状の部材であり、溝２８と突起３０を有する。溝２８は仕切り板２７の両側面に設けられており、その形状とサイズは支持部材１２の溝１３と全く同じである。一方、突起３０は仕切り板２７の上端部分と下端部分とから構成されている。すなわち、仕切り板２７の上下の端部をもって突起３０が１個ずつ形成されている。突起３０の短手方向の幅と支持部材１２の溝１３の幅とは略同じであり、突起３０は溝１３に係合可能である。
【００３１】
仕切り板２７の縦方向のサイズは、互いに垂直方向に位置する１組の支持部材１２同士（支持部材１２ａと１２ｃ、１２ｃと１２ｅ、１２ｂと１２ｄ、並びに、１２ｄと１２ｆ）の溝１３に突起３０を嵌め込んだ場合に、これらの支持部材１２間にちょうど嵌るサイズである。
【００３２】
一方、互いに水平方向に位置する１組の支持部材１２同士（支持部材１２ａと１２ｂ、１２ｃと１２ｄ、並びに、１２ｅと１２ｆ）の間（中央鏡１５に対応する位置）には、中央棚部（棚板）３３が設置可能である。図６に示す様に、中央棚部３３は、底板３５と側面板３６と正面板３７によって構成されている。中央棚部３３はトレイとして機能し、底板３５に物品を載置可能である。中央棚部３３の２個の側面板３６には、それぞれ突起３８が長手方向全体に設けられている。すなわち、中央棚部３３の幅方向の両端部に突起３８が１個ずつ設けられている。突起３８の短手方向の幅と、支持部材１２の溝１３の幅ならびに仕切り板２７の溝２８の幅とは略同じであり、突起３８は溝１３ならびに溝２８に係合可能である。
【００３３】
中央棚部３３の幅方向のサイズは、互いに水平方向に位置する１組の支持部材１２同士（支持部材１２ａと１２ｂ、１２ｃと１２ｄ、並びに、１２ｅと１２ｆ）の溝１３に突起３８を嵌め込んだ場合に、支持部材１２間にちょうど嵌るサイズである。これは、仕切り板２７を支持部材１２に嵌め込み、左右に配置された１組の仕切り板２７の溝２８に突起３８を嵌め込んだ場合に、仕切り板２７の間にちょうど嵌るサイズでもある。
【００３４】
支持部材１２ａ，１２ｃ，１２ｅと左側壁との間（左のサイド鏡１６に対応する位置）、並びに支持部材１２ｂ，１２ｄ，１２ｆと右側壁との間（右のサイド鏡１７に対応する位置）には、サイド棚部５３（図７，８参照）が設置可能である。サイド棚部５３の構成は、中央棚部３３の構成と基本的に同じであり、幅方向のサイズが異なるのみである。すなわち、支持部材１２の溝１３と側壁の溝２４に、側面に設けられた突起を嵌め込んだ場合に、支持部材１２と凹部２５の側壁との間にちょうど嵌るサイズである。これは、仕切り板２７を支持部材１２に嵌め込み、仕切り板２７の溝２８と側壁の溝２４に側面に設けられた突起を嵌め込んだ場合に、仕切り板２７と凹部２５の側壁との間にちょうど嵌るサイズでもある。
【００３５】
本実施形態において、仕切り板２７、中央棚部３３、及びサイド棚部５３はかなり高い自由度をもって化粧台本体１０の凹部２５内に設置することができる。図７に示す例では、７個の仕切り板２７と、２個の中央棚部３３と、４個のサイド棚部５３とを設置している。図７の空間Ａは、支持部材１２ａと１２ｃとの間に仕切り板２７をあえて設けないことにより形成されており、幅方向に広い空間となっている。空間Ａを利用することにより、横長の物品を収納することができる。もちろん、全ての中央棚部３３とサイド棚部５３は着脱可能であり、所望の垂直位置に設置することができる。また、仕切り板２７を所望の位置に組み直すことにより、所望の幅方向のサイズを有する空間を形成することができる。
【００３６】
図８に示す例では、８個の仕切り板２７と、２個の中央棚部３３と、４個のサイド棚部５３とを設置している。この例では、仕切り板２７を設置可能な８箇所全てに設置しているので、従来の洗面化粧台で採用されている縦壁を有する構成に近い。しかし、この例でも仕切り板２７を所望の位置に組み直すことにより、所望の幅方向のサイズを有する空間を形成することができる。
【００３７】
上記した実施形態では、凹部２５が中央鏡１５と左右のサイド鏡１６，１７とをもって覆われているが、凹部２５が中央鏡１５のみによって覆われるものでもよい。この場合には、中央鏡１５の奥にある収納スペースのみが、そのサイズを高さ方向や幅方向に自由に変更できるものとなる。なおこの場合には、左右のサイド鏡１６，１７の奥には収納スペースを設けてもよいし、設けなくてもよい。
【００３８】
上記した実施形態では、仕切り板として図５に示す仕切り板２７のような溝２８を有するものを採用しているが、仕切り板は溝を有しない単なる板体でもよい。この場合には、仕切り板間や仕切り板と側壁との間には棚部を設置することができないが、支持部材１２間ならびに支持部材１２と側壁との間に棚部を設けることができる。
【図面の簡単な説明】
【００３９】
【図１】本発明の実施形態に係る洗面化粧台の外観を示す斜視図である。
【図２】図１の洗面化粧台における化粧台本体を示す正面図である。
【図３】凹部内における支持部材の設置状態を示す斜視図である。
【図４】支持部材を示す斜視図である。
【図５】仕切り板を示す斜視図である。
【図６】中央棚部を示す斜視図である。
【図７】仕切り板と棚部を取り付けた状態における化粧台本体を示す正面図である。
【図８】仕切り板と棚部を取り付けた状態の他の例における化粧台本体を示す正面図である。
【符号の説明】
【００４０】
１  洗面化粧台
２  洗面台
３  化粧台（収納庫）
１０  化粧台本体（収納庫本体）
１２  支持部材
１３  溝
１５  中央鏡（鏡）
１６  左サイド鏡（鏡）
１７  右サイド鏡（鏡）
２１  扉板
２２  開口
２３  奥壁
２４  溝
２５  凹部
２７  仕切り板
２８  溝
３０  突起
３３  中央棚部（棚板）
３８  突起
４３  溝
５３  サイド棚部（棚板）
【図１】
2008200412.tif 000003
【図２】
2008200412.tif 000004
【図３】
2008200412.tif 000005
【図４】
2008200412.tif 000006
【図５】
2008200412.tif 000007
【図６】
2008200412.tif 000008
【図７】
2008200412.tif 000009
【図８】
2008200412.tif 000010